(57)【要約】【課題】冷房運転や除湿運転時における快適性と健康面での安全性が確保できるだけでなく、部屋全体の温度分布やイオン濃度分布を均一にすることができる空気調和機を提供する。【解決手段】室内機１の上面及び前面に形成された吸込口４ａ、４ｃから室内の空気が取り入れられ、室内熱交換器３と熱交換した後、吹出口５の第１開口部５ａから室内に送出される。所定の時期になると、横ルーバ１１ａ、１１ｂが回動して第１開口部５ａが閉塞され、導風板１４が回動して第２開口部５ｂが開放される。これにより、送風経路６を流通する調和空気は分岐通路１３を流通して第２開口部５ｂから送出され、上方に導かれる。また、所定の切り替え操作によって、第１開口部５ａの開放時に横ルーバ１１ａ、１１ｂの向き等の空気調和機の運転状況に基づいて導風板１４の向きが可変される。【選択図】　　　図１１
2004069127.tif 000002
【特許請求の範囲】
【請求項１】
室内の壁面に取り付けて吸込口から取り入れた空気を調和し、吹出口から下方及び上方に空気を送出する空気調和機において、
空気調和機の運転状況または室内の空気調和状況に基づいて調和空気の吹出方向を可変したことを特徴とする空気調和機。
【請求項２】
前記吹出口に臨む空気流通経路の上壁を成して前方へ行くほど上方になるように傾斜した案内面を有することを特徴とする請求項１に記載の空気調和機。
【請求項３】
前記吹出口を開閉して空気を所定方向に導く導風板を設け、空気調和機の運転状況または室内の空気調和状況に基づいて前記導風板の開成状態を可変したことを特徴とする請求項２に記載の空気調和機。
【請求項４】
前記導風板は前記吹出口に設けられるとともに水平方向に回動軸を有する開閉板から成り、前記開閉板の開閉角度の制御により吹出方向を可変することを特徴とする請求項３に記載の空気調和機。
【請求項５】
前記案内面の前端が周辺部から突出するように形成したことを特徴とする請求項２〜請求項４のいずれかに記載の空気調和機。
【請求項６】
前記案内面の前端から後方に延びた平面または曲面を有することを特徴とする請求項２〜請求項５のいずれかにに記載の空気調和機。
【請求項７】
前記平面または前記曲面は、前記案内面の前端から前記案内面を前方に延長した面よりも後方に退避する面から成ることを特徴とする請求項６に記載の空気調和機。
【請求項８】
空気調和機の前面を覆うフロントパネルを備え、前記フロントパネルから突出した導風部の壁面により前記案内面と、前記平面または前記曲面とを形成したことを特徴とする請求項６または請求項７に記載の空気調和機。
【請求項９】
空気調和機の前面を覆うフロントパネルを備え、前記フロントパネルの前面に設けた溝部の壁面により前記平面または前記曲面を形成したことを特徴とする請求項６または請求項７に記載の空気調和機。
【請求項１０】
イオンを発生するイオン発生装置を備え、前記吹出口から調和空気とともにイオンを室内に送出することを特徴とする請求項１〜請求項９のいずれかに記載の空気調和機。
【請求項１１】
室内のイオン濃度を検知するイオンセンサを備え、イオンセンサで検知されたイオン濃度の変化による室内の空気調和状況の変化に基づいて調和空気の吹出方向を可変したことを特徴とする請求項１０に記載の空気調和機。
【請求項１２】
前記吹出口の下部から送出される空気の風向を可変する風向板を設け、前記風向板の向きの変化による運転状況の変化に基づいて前記吹出口の上部から送出される調和空気の吹出方向を可変したことを特徴とする請求項１〜請求項１１のいずれかに記載の空気調和機。
【請求項１３】
前記吹出口から送出される空気の温度の変化による運転状況の変化に基づいて調和空気の吹出方向を可変したことを特徴とする請求項１〜請求項１１のいずれかに記載の空気調和機。
【請求項１４】
取り入れた空気と熱交換して空気温度を調和する室内熱交換器の温度の変化による運転状況の変化に基づいて調和空気の吹出方向を可変したことを特徴とする請求項１〜請求項１１のいずれかに記載の空気調和機。
【請求項１５】
前記吹出口から送出される風量の変化による運転状況の変化に基づいて調和空気の吹出方向を可変したことを特徴とする請求項１〜請求項１１のいずれかに記載の空気調和機。
【請求項１６】
冷凍サイクルを運転する圧縮機の運転周波数の変化による運転状況の変化に基づいて調和空気の吹出方向を可変したことを特徴とする請求項１〜請求項１１のいずれかに記載の空気調和機。
【請求項１７】
空気調和機の消費電流の変化による運転状況の変化に基づいて調和空気の吹出方向を可変したことを特徴とする請求項１〜請求項１１のいずれかに記載の空気調和機。
【請求項１８】
外気を取り入れて熱交換する室外機を備え、前記室外機に取り入れられる空気の風量の変化による運転状況の変化に基づいて調和空気の吹出方向を可変したことを特徴とする請求項１〜請求項１１のいずれかに記載の空気調和機。
【請求項１９】
前記吸込口から取り入れられた空気の温度の変化による室内の空気調和状況の変化に基づいて調和空気の吹出方向を可変したことを特徴とする請求項１〜請求項１１のいずれかに記載の空気調和機。
【請求項２０】
室内の湿度を検知する湿度センサを備え、前記湿度センサで検知された湿度の変化による室内の空気調和状況の変化に基づいて調和空気の吹出方向を可変したことを特徴とする請求項１〜請求項１１のいずれかに記載の空気調和機。
【請求項２１】
室内の空気の浄化度を検知する浄化度検知手段を備え、前記浄化度検知手段で検知された浄化度の変化による室内の空気調和状況の変化に基づいて調和空気の吹出方向を可変したことを特徴とする請求項１〜請求項１１のいずれかに記載の空気調和機。
【請求項２２】
前記浄化度検知手段は、室内の空気に含まれる臭気成分を検知する臭いセンサ、または室内の空気に含まれる塵埃の量を検知するほこりセンサから成ることを特徴とする請求項２１に記載の空気調和機。
【請求項２３】
前記吹出口の下部から送出される空気の風向を可変する風向板を設け、前記風向板の向きの変化による運転状況の変化に基づいて前記案内面に沿って前記吹出口の上部から送出される調和空気の吹出方向を可変したことを特徴とする請求項２に記載の空気調和機。
【請求項２４】
前記導風板を前記吹出口の上部に配置するとともに、前記吹出口の下部から送出される空気の風向を可変する風向板を設け、前記風向板の向きの変化による運転状況の変化に基づいて前記導風板の向きを可変したことを特徴とする請求項３に記載の空気調和機。
【請求項２５】
使用者の指示により調和空気の吹出方向を可変できることを特徴とする請求項１〜請求項２４のいずれかに記載の空気調和機。
【請求項２６】
使用者の指示により選択された運転モードに応じて調和空気の吹出方向が可変されることを特徴とする請求項１〜請求項２５のいずれかに記載の空気調和機。
【請求項２７】
使用者の指示により上方向への空気の送出を禁止する禁止手段を設けたことを特徴とする請求項１〜請求項２６のいずれかに記載の空気調和機。
【発明の詳細な説明】
【０００１】
【発明の属する技術分野】
本発明は、取り込まれた空気を調和して室内に送出する空気調和機に関する。
【０００２】
【従来の技術】
図２８は、従来の空気調和機の室内機を示す概略側面断面図である。空気調和機の室内機１は、キャビネット２により本体部が保持されており、キャビネット２には上面側と前面側に吸込口４ａ、４ｃが設けられたフロントパネル３が着脱自在に取り付けられている。キャビネット２は後方側面に爪部（不図示）が設けられ、室内の壁に取り付けられた取付板に該爪部を係合することにより支持される。
【０００３】
フロントパネル３の下端部とキャビネット２の下端部との間隙には、室内機１の幅方向に延びる略矩形の吹出口５が形成されている。室内機１の内部には、吸込口４ａ、４ｃから吹出口５に連通する送風経路６が形成されている。送風経路６内には空気を送出する送風ファン７が配されている。送風ファン７として、例えば、クロスフローファン等を用いることができる。
【０００４】
フロントパネル３に対向する位置には、吸込口４ａ、４ｃから吸い込まれた空気に含まれる塵埃を捕集・除去するエアフィルタ８が設けられている。送風経路６中の送風ファン７とエアフィルタ８との間には、室内熱交換器９が配置されている。
【０００５】
室内熱交換器９は屋外に配される圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。
【０００６】
室内熱交換機９の前後の下部には冷房または除湿時に室内熱交換器９から落下した結露を補集するドレンパン１０が設けられている。送風経路６内の吹出口５の近傍には、外部に臨んで垂直方向の吹出角度を略水平乃至下方向に変更可能な横ルーバ１１ａ、１１ｂが設けられている。横ルーバ１１ａ、１１ｂの奥側には左右方向の吹出角度を変更可能な縦ルーバ１２が設けられている。
【０００７】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。
【０００８】
室内機１内に取り込まれた空気は室内熱交換器９と熱交換し、冷却または加熱される。そして、送風経路６を通って縦ルーバ１２及び横ルーバ１１ａ、１１ｂによって左右方向及び上下方向に向きを規制されて吹出口５から下方に向けて室内に送出される。
【０００９】
また、空気調和機の運転の開始直後は速やかに室内の空気を循環させる必要がある。このため、送風ファン７の回転速度を高くして室内熱交換器９で熱交換された空気は吹出口５から勢いよく送出される。図２９はこの時の室内の気流の挙動を示している。吹出口５（図２８参照）から下方に送出される空気（Ｂ）は、部屋Ｒ内を矢印に示すように流通して吸込口４ａ、４ｃに戻る。
【００１０】
室温と設定温度との温度差が小さくなると、送風ファン７の調整により徐々に送風量を低下させて微風にするとともに、横ルーバ１１ａ、１１ｂにより風向が略水平方向に設定される。図３０はこの時の室内の気流の挙動を示している。吹出口５（図２８参照）から略水平方向に送出される空気（Ｂ’）は、部屋Ｒ内を矢印に示すように流通して吸込口４ａ、４ｃに戻る。
【００１１】
また、室内機１内にイオンを発生するイオン発生装置を備えた空気調和機も知られている。この空気調和機は、吹出口５から調和空気とともにイオンを送出することによって、殺菌等による空気清浄効果やリラクゼーション効果を得ることができるようになっている。
【００１２】
【発明が解決しようとする課題】
上記の従来の空気調和機によると、空気調和機は通常、使用者の身長よりも高い位置に配置されて吹出口５から略水平方向乃至下方向に送風される。図３１は、前述の図２９、図３０に示した部屋Ｒを冷房運転した場合に設定温度（２８℃）付近に達した所謂冷房安定状態における室内の温度分布を示している。
【００１３】
部屋Ｒの大きさは６畳（高さ２４００ｍｍ、横３６００ｍｍ、奥行き２４００ｍｍ）である。計測ポイントは図３０に一点鎖線Ｄで示した部屋Ｒの中央断面を６００ｍｍ間隔で高さ方向と横方向にそれぞれ６点、８点の合計４８点計測している。また、冷房安定状態での気流は風量が微風、風向が略水平方向になっている。
【００１４】
同図によると、室内機１から吹出された冷気は比重が大きいため下降する。その結果、部屋Ｒの中央部に設定温度２８℃よりも約５℃低温の風が降り注ぐ。このため、設定温度付近に達した状態で送風を継続すると使用者に常に冷たい風や暖かい風が当たる。従って、使用者に不快感を与えるとともに、除湿運転時や冷房運転時では局所的に使用者の体温を低下させて健康に害を与える問題があった。また、部屋Ｒ内の温度のばらつきが大きくなる問題もあった。
【００１５】
また、図３２は、調和空気とともにイオンを送出した場合の冷房安定状態での室内のイオン濃度分布を示している。部屋Ｒの大きさは前述の図２９〜図３１と同じであり、図３１と同じ断面を計測している。設定温度は２８℃、風量は微風、風向は略水平方向である。図中の矢印は、この時の気流の様子を示している。
【００１６】
また、イオン発生装置によりプラスイオンＨ＋（Ｈ２Ｏ）ｎとマイナスイオンＯ２−（Ｈ２Ｏ）ｎとを生成して吹出口５から送出しており、図中の数値はイオン濃度（単位：個／ｃｃ）、＋・−符号はそれぞれプラスイオン、マイナスイオンを示している。
【００１７】
同図によると、室内機１から吹出される気流の勢いが弱いため部屋Ｒの端部までイオンが行き届かず、室内機１に対向する壁面付近や室内機１の真下の領域のイオン濃度が低くなっている。即ち、部屋の端部でのイオン濃度が他の場所に比べて低くなり、充分な殺菌効果やリラクゼーション効果を得ることができない問題もあった。
【００１８】
本発明は、上記の問題点に鑑みてなされたものであり、冷房運転または除湿運転時における快適性と健康面での安全性が確保できるだけでなく、部屋全体の温度分布やイオン濃度分布を均一にすることができる空気調和機を提供することを目的とする。
【００１９】
【課題を解決するための手段】
上記目的を達成するために本発明は、室内の壁面に取り付けて吸込口から取り入れた空気を調和し、吹出口から下方及び上方に空気を送出する空気調和機において、空気調和機の運転状況または室内の空気調和状況に基づいて調和空気の吹出方向を可変したことを特徴としている。
【００２０】
この構成によると、空気調和機を運転すると、空気調和機に設けた吸込口から取り込まれた空気が調和され、吹出口から例えば下方に送出される。空気調和機の運転状況または室内の空気調和状況が変化すると、吹出口から例えば上方に向けて調和空気が送出される。空気調和機の運転状況として、下方への風向を可変する風向板の向き、空気調和機から送出される空気の温度、室内機に配される室内熱交換器の温度、空気調和機から送出される空気の風量、冷凍サイクルを運転する圧縮機の運転周波数、空気調和機の消費電流、室外機に取り込まれる空気の風量等が含まれる。また、室内の空気調和状況として、室内の温度、室内の湿度、臭気成分や塵埃量に基づく室内の空気の浄化度、室内のイオン濃度等が含まれる。
【００２１】
また本発明は、上記構成の空気調和機において、前記吹出口に臨む空気流通経路の上壁を成して前方へ行くほど上方になるように傾斜した案内面を有することを特徴としている。この構成によると、空気調和機を運転すると、空気調和機に設けた吸込口から取り込まれた空気が調和され、吹出口から下方に調和空気が送出される。空気調和機の運転状況または室内の空気調和状況が変化すると、吹出し方向が上方に可変され、調和空気は案内面に沿って流通し、該案内面の延長方向に送出される。
【００２２】
また本発明は、上記構成の空気調和機において、前記吹出口を開閉して空気を所定方向に導く導風板を設け、空気調和機の運転状況または室内の空気調和状況に基づいて前記導風板の開成状態を可変したことを特徴としている。この構成によると、空気調和機を運転すると、空気調和機に設けた吸込口から取り込まれた空気が調和され、導風板の向きを例えば下方にして吹出口から下方に調和空気が送出される。空気調和機の運転状況または室内の空気調和状況が変化すると、導風板の向きが上方に可変され、吹出口から上方に向けて調和空気が送出される。導風板は水平方向に回動軸を有する開閉板から成り、開閉板の開閉角度の制御により吹出方向を可変することができる。
【００２３】
また本発明は、上記構成の空気調和機において、前記案内面の前端が周辺部から突出するように形成したことを特徴としている。この構成によると、案内面の前端に到達した調和空気が空気調和機の前面に沿わず、ショートサーキットが防止される。
【００２４】
また、案内面の前端から後方に延びる平面または曲面を形成して案内面の前端を突出させることができる。案内面は吹出口から突出して設けても良いし吹出口の内方に設けてもよい。これにより、前面に配されるフロントパネルから突出した導風部の壁面やフロントパネルに凹設した溝部の壁面によって上記平面または曲面が形成される。
【００２５】
また、吹出口の上部に導風板が設けられ、下部に風向板が設けられた場合には、導風板が閉じられると下方に調和空気が送出される。空気調和機の運転状況に応じて導風板が開かれると下方及び上方に調和空気が送出され、風向板が閉じられると上方に調和空気が送出される。
【００２６】
また本発明は、上記各構成の空気調和機において、使用者の指示により前記導風板の向きを可変できることを特徴としている。この構成によると、運転状況に拘わらず、使用者の指示によって調和空気の送出方向が可変される。
【００２７】
また本発明は、上記各構成の空気調和機において、使用者の指示により選択された運転モードに応じて前記導風板の向きが可変されることを特徴としている。この構成によると、使用者により暖房や冷房等の運転モードが選択されると、導風板が運転モードに応じた向きに配される。
【００２８】
また本発明は、上記各構成の空気調和機において、使用者の指示により上方向への空気の送出を禁止する禁止手段を設けたことを特徴としている。この構成によると、使用者から禁止手段に指示が行われると、運転状況または室内の空気調和状況が変化しても上方に空気が送出されない。
【００２９】
【発明の実施の形態】
以下に本発明の実施形態を図面を参照して説明する。説明の便宜上、従来例の図２８〜図３２と同様の部分については同一の符号を付している。図１は第１実施形態の空気調和機の室内機１を示す概略側面断面図である。空気調和機の室内機１は、キャビネット２により本体部が保持されている。
【００３０】
キャビネット２は後方側面に爪部（不図示）が設けられており、室内の壁に取り付けられた取付板に該爪部を嵌合することにより支持される。キャビネット２の前面側には、本体部を覆うようにフロントパネル３が着脱自在に取り付けられている。キャビネット２の上面部には吸込口４ａが設けられており、フロントパネル３の上端とキャビネット２との隙間によって吸込口４ｃが形成されている。
【００３１】
フロントパネル３の下端部とキャビネット２の下端部との間隙には、室内機１の幅方向に延びる略矩形の第１、第２開口部５ａ、５ｂから成る吹出口５が形成されている。第１、第２開口部５ａ、５ｂには明確な境界が形成されないが、便宜上吹出口５の下部を第１開口部５ａとし、上部を第２開口部５ｂとしている。また、第２開口部５ｂの上端にはフロントパネル３と一体に導風部２０が突設されている。
【００３２】
室内機１の内部には、吸込口４ａ、４ｃから吹出口５に連通する送風経路６が形成されている。送風経路６内のキャビネット２の前方には空気を送出する送風ファン７が配されている。送風ファン７として、例えばクロスフローファン等を用いることができる。
【００３３】
フロントパネル３に対向する位置には、吸込口４ａ、４ｃから吸い込まれた空気に含まれる塵埃を捕集・除去するエアフィルタ８が設けられている。送風経路６中の送風ファン７とエアフィルタ８との間には、室内熱交換器９が配置されている。フロントパネル３と室内熱交換器９との間には所定間隔の空間が設けられており、吸込口４ａ、４ｃから取り入れられた空気が該空間を通って室内熱交換器９と広い面積で接触するようになっている。
【００３４】
室内熱交換器９は圧縮機６２（図３参照）に接続されており、圧縮機の駆動により冷凍サイクルが運転される。冷凍サイクルの運転によって、冷房時には室内熱交換器９が周囲温度よりも低温に冷却される。暖房時には、室内熱交換器９が周囲温度よりも高温に加熱される。尚、室内熱交換器９とエアフィルタ８との間には吸い込まれた空気の温度を検知する温度センサ６１（図３参照）が設けられ、室内機１の側部には空気調和機の駆動を制御する制御部６０（図３参照）が設けられている。
【００３５】
室内熱交換機９の前後の下部には冷房または除湿時に室内熱交換器９から落下した結露を補集するドレンパン１０が設けられている。前方のドレンパン１０はフロントパネル３に取り付けられ、後方のドレンパン１０はキャビネット２と一体に成形されている。
【００３６】
前方のドレンパン１０には、イオン発生装置３０が放電面３０ａを送風経路６に面して設置されている。イオン発生装置３０の放電面３０ａから発生したイオンは送風経路６内に放出され、吹出口５から室内に吹出される。イオン発生装置３０は放電電極を有し、コロナ放電によって印加電圧が正電圧の場合は主としてＨ＋（Ｈ２Ｏ）ｎから成るプラスイオンを生成し、負電圧の場合は主としてＯ２−（Ｈ２Ｏ）ｍから成るマイナスイオンを生成する。
【００３７】
Ｈ＋（Ｈ２Ｏ）ｎ及びＯ２−（Ｈ２Ｏ）ｍは微生物の表面で凝集し、空気中の微生物等の浮遊菌を取り囲む。そして、式（１）〜（３）に示すように、衝突により活性種である［・ＯＨ］（水酸基ラジカル）やＨ２Ｏ２（過酸化水素）を浮遊菌の表面上で生成し、浮遊菌を破壊して殺菌を行う。
【００３８】
Ｈ＋（Ｈ２Ｏ）ｎ＋Ｏ２−（Ｈ２Ｏ）ｍ→・ＯＨ＋１／２Ｏ２＋（ｎ＋ｍ）Ｈ２Ｏ　・・・（１）
Ｈ＋（Ｈ２Ｏ）ｎ＋Ｈ＋（Ｈ２Ｏ）ｎ’＋Ｏ２−（Ｈ２Ｏ）ｍ＋Ｏ２−（Ｈ２Ｏ）ｍ’
→　２・ＯＨ＋Ｏ２＋（ｎ＋ｎ’＋ｍ＋ｍ’）Ｈ２Ｏ　・・・（２）
Ｈ＋（Ｈ２Ｏ）ｎ＋Ｈ＋（Ｈ２Ｏ）ｎ’＋Ｏ２−（Ｈ２Ｏ）ｍ＋Ｏ２−（Ｈ２Ｏ）ｍ’
→　Ｈ２Ｏ２＋Ｏ２＋（ｎ＋ｎ’＋ｍ＋ｍ’）Ｈ２Ｏ　・・・（３）
【００３９】
イオン発生装置３０は使用目的に応じて、プラスイオンに比べてマイナスイオンを多く発生させるモード、マイナスイオンに比べてプラスイオンを多く発生させるモード、及びプラスイオンとマイナスイオンの両方を略同量の割合で発生させるモードの切替えができるようになっている。
【００４０】
送風経路６内の吹出口５の第１開口部５ａの近傍には、外部に臨んで垂直方向の吹出角度を略水平乃至下方向に変更可能な横ルーバ（風向板）１１ａ、１１ｂが設けられている。横ルーバ１１ａ、１１ｂの奥側には左右方向の吹出角度を変更可能な縦ルーバ１２が設けられている。
【００４１】
第２開口部５ｂは送風経路６から上方に傾斜して分岐する分岐通路１３により送風経路６と連通している。送風経路６及び分岐通路１３により空気が流通する空気流通経路が構成されている。分岐通路１３の開放側端部には、回動軸１４ａでフロントパネル３に枢支される導風板１４が設けられている。尚、導風板１４には結露防止のための断熱処理が施されている。
【００４２】
図２は吹出口５の近傍の詳細を示す断面図である。分岐通路１３の上壁面１３ａは前方に向かって上方に傾斜する傾斜面から成っている。尚、導風部２０の下面２０ａは、分岐通路１３の上壁面１３ａに沿って形成され、第２開口部５ｂから吹き出された調和空気を滑らかに室内に導く。
【００４３】
図３は空気調和機の冷凍サイクルを示す回路図である。空気調和機の室内機１に接続されるの室外機（不図示）には、圧縮機６２、四方切替弁６３、室外熱交換器６４、送風ファン６５及び絞り機構６６が設けられる。圧縮機６２の一端は冷媒配管６７により四方切替弁６３を介して室外熱交換器６４に接続されている。圧縮機６２の他端は冷媒配管６７により四方切替弁６３を介して室内熱交換器９に接続されている。室外熱交換器６４と室内熱交換器９とは冷媒配管６７により絞り機構６６を介して接続されている。
【００４４】
冷房運転を開始すると圧縮機６２が駆動されるとともに送風ファン７が回転する。これにより、冷媒が圧縮機６２、四方切替弁６３、室外熱交換器６４、絞り機構６６、室内熱交換器９及び四方切替弁６３を経て圧縮機６２に戻る冷凍サイクル６８が形成される。
【００４５】
冷凍サイクル６８の運転によって、冷房時には室内熱交換器９が周囲温度よりも低温に冷却される。また、暖房運転時には四方切替弁６３が切り替えられて送風ファン６５が回転し、上記と逆方向に冷媒が流通する。これにより、室内熱交換器９が周囲温度よりも高温に加熱される。
【００４６】
図４は空気調和機の構成を示すブロック図である。制御部６０はマイクロコンピュータから成り、使用者による操作や吸込空気の温度を検知する温度センサ６１の入力に基づいて、送風ファン７、圧縮機６２、イオン発生装置３０、縦ルーバ１２、横ルーバ１１ａ、１１ｂ及び導風板１４の駆動制御を行う。
【００４７】
図５は、制御部６０の詳細構成を示すブロック図である。制御部６０は各種演算処理を行うＣＰＵ７１を有し、ＣＰＵ７１には入力信号を受け取る入力回路７２及びＣＰＵ７１の演算結果を出力する出力回路７３が接続されている。また、ＣＰＵ７１の演算プログラムの格納及び演算結果の一時記憶を行うメモリ７４が設けられている。
【００４８】
入力回路７２には横ルーバ１１ａ、１１ｂ（図１参照）の回転角度を検出する風向板角度検出部７６により検出された信号が入力される。出力回路７３には、導風板１４（図１参照）を駆動するモータから成る導風板駆動部７５が接続されている。
【００４９】
後述するように、第１開口部５ａが開放されると導風板１４により第２開口部５ｂが閉じられて調和空気が下方に送出される。第２開口部５ｂが開放されると横ルーバ１１ａ、１１ｂが回動して第１開口部５ａが少しだけ開いた状態に設定されて調和空気が上方に送出される。
【００５０】
また、リモートコントローラ（不図示）の操作によって、第１開口部５ａの開放時に第２開口部５ｂを開くことができるようになっている。この時、横ルーバ１１ａ、１１ｂの角度が風向板角度検出部７６により検出され、検出角度に応じて制御部６０により導風板駆動部７５が駆動される。また、リモートコントローラの操作信号を受信する受光部（不図示）の出力が制御部６０に入力され、リモートコントローラによる所定の操作によって風向板角度検出部７６の検知結果に拘わらず導風板駆動部７５により導風板１４を駆動可能になっている。
【００５１】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。
【００５２】
室内機１内に取り込まれた空気は室内熱交換器９と熱交換し、冷却または加熱される。そして、送風経路６を通って縦ルーバ１２及び横ルーバ１１ａ、１１ｂによって左右及び上下方向の向きを規制されて吹出口５の第１開口部５ａから矢印Ａ１に示すように略水平方向乃至下方向に向けて室内に送出される。この時導風板１４は閉じられ、第２開口部５ｂから空気は送出されない。
【００５３】
また、空気調和機の運転の開始直後は速やかに室内の空気を循環させる必要がある。このため、風量が例えば「強」に設定され、送風ファン７の回転速度を高くして室内熱交換器９で熱交換された空気は吹出口５から勢いよく送出される。図６はこの時の部屋全体の気流の挙動を示している。第１開口部５ａ（図１参照）から下方に送出される空気（Ｂ）は、部屋Ｒ内を矢印に示すように流通して吸込口４ａ、４ｃに戻る。
【００５４】
室温と設定温度との温度差が小さくなったことを温度センサ６１により検知すると、送風ファン７の調整により徐々に送風量を低下させて風量を例えば「微風」にする。そして、図７に示すように、横ルーバ１１ａ、１１ｂが回動して第１開口部５ａが少しだけ開いた状態に設定され、導風板１４が回動して第２開口部５ｂが開放される。
【００５５】
これにより、吸込口４ａ、４ｃから取り込まれた空気が送風経路６及び分岐通路１３を流通して第２開口部５ｂ及び横ルーバ１１ａ、１１ｂの隙間から上方に送出される。この時、分岐通路１３の上壁面１３ａに沿って流通する空気は導風部２０の下面２０ａになめらかに沿い、導風部２０の先端２０ｂによってコアンダ効果が断ち切られる。これにより、調和空気は矢印Ａ２に示すようにフロントパネル３に沿うことなく前方上方に導かれる。
【００５６】
図８はこの時の部屋内の気流の挙動を示している。第１、第２開口部５ａ、５ｂ（図７参照）から前方上方に送出される空気（Ｂ”）は、部屋Ｒ内を矢印に示すように流通して吸込口４ａ、４ｃに戻る。従って、使用者に常に冷たい風や暖かい風が当たることがなく、使用者の不快感を防止して快適性を向上することができる。更に、冷房時には局所的に使用者の体温を低下させることがなく健康上の安全性を向上することができる。
【００５７】
横ルーバ１１ａ、１１ｂにより第１開口部５ａを少しだけ開放することによって、第１開口部５ａから吹き出される空気がコアンダ効果によって横ルーバ１１ａ、１１ｂに沿って上方に導かれる。この時、横ルーバ１１ａ、１１ｂの両面を調和空気が通過するため該両面に温度差が生じず、結露を防止することができる。横ルーバ１１ａ、１１ｂに断熱処理を施している場合は第１開口部５ａを閉塞してもよい。
【００５８】
また、横ルーバは回動するため回動による送風経路６の壁面との干渉を回避するように形成される。このため、横ルーバを１枚の板状部材により構成すると第１開口部５ａを閉じた際に隙間が大きくなり隙間から漏れた空気が使用者に直接当たる。従って、本実施形態のように横ルーバ１１ａ、１１ｂを複数の板状部材により構成すると閉じた際の隙間を小さくすることができより望ましい。
【００５９】
更に、複数の横ルーバ１１ａ、１１ｂを異なる角度に配置することにより、調和空気を各横ルーバ１１ａ、１１ｂに沿わせて容易に上方に導いて、隙間から漏れて下方に吹き出される空気を低減することができる。尚、導風板１４の色や形状等を横ルーバ１１ａ、１１ｂと同様の外観に形成して導風板１４を横ルーバの一部のように設けると美観が向上するのでより望ましい。
【００６０】
また、第２開口部５ｂから吹出された調和空気は、導風部２０によりフロントパネル３に沿うことなく噴流となって前方上方に吹出される。このため、吸込口４ａ、４ｃから室内機１内に調和空気が流入するショートサーキットを防止することができる。
【００６１】
これにより、空気調和機の冷却効率または暖房効率の低下を防止することができるとともに、フロントパネル３の表面の結露の増加や室内熱交換器９の表面に付着した結露水の凍結及び成長を防止できる。従って、結露水や凍結した氷が解けた水の室内への放出を防止することができるとともに、成長した氷の押圧力によるキャビネット２やフロントパネル３等の変形や破損を防止することができる。
【００６２】
更に、空気の粘性によってフロントパネル３との接触により生じる風速の低下が防止される。このため、部屋の隅々にまで気流が行き届き、部屋内の攪拌効率を向上させることができる。加えて、導風部２０はフロントパネル３の下端に突設されるので室内機１の美観を損ねることなく、導風部２０の先端２０ｂがコアンダ効果を断ち切ってショートサーキットを防止することができる。
【００６３】
図９は、図６、図８に示す部屋Ｒを冷房運転した時に設定温度（２８℃）付近に達した所謂冷房安定状態における室内の温度分布を示している。部屋Ｒの大きさは前述の図２９〜図３２の従来例と同様に６畳（高さ２４００ｍｍ、横３６００ｍｍ、奥行き２４００ｍｍ）であり、計測ポイントは図８に一点鎖線Ｄで示した部屋Ｒの中央の断面を６００ｍｍ間隔で高さ方向と横方向にそれぞれ６点、８点の合計４８点計測している。また、冷房安定状態での気流は風量が微風、風向が上方向になっている。
【００６４】
図８及び図９から明らかなように、室内機１の第１、第２開口部５ａ、５ｂから前方上方に吹出された調和空気は、導風部２０に導かれて部屋Ｒの天井に到達する。その後、コアンダ効果により天井面から室内機１に対向する壁面、床面、室内機１側の壁面を順次伝って室内機１の両側方から吸込口４ａ、４ｃに吸い込まれる。
【００６５】
これにより、気流が部屋全体を大きく攪拌し、部屋Ｒ内の温度分布が設定温度付近で均一になる。即ち、部屋Ｒの上方の一部を除いて、使用者の居住領域全体が設定温度２８℃に略一致して温度ばらつきが小さく直接風もほとんど使用者に当たることのない快適空間を得ることができる。
【００６６】
また、図１０は、上記と同じ部屋Ｒ内でイオン発生装置３０を駆動して調和空気とともにイオンを送出し、冷房安定状態でのイオン濃度分布を示している。図９と同じ断面Ｄ（図８参照）を計測し、設定温度は２８℃、風量は微風、風向は上方向である。図中の矢印は、この時の気流の挙動を示している。図中の数値はイオン濃度（単位：個／ｃｃ）を示し、＋・−符号はそれぞれプラスイオン及びマイナスイオンを表している。
【００６７】
同図によると、上述したように調和空気とともにイオンがコアンダ効果により天井面から室内機１に対向する壁面、床面、室内機１側の壁面を順次伝い、室内機１の両側方から吸込口４ａ、４ｃに吸込まれる。従って、気流が速く部屋Ｒの端部に到達するため、部屋Ｒの端部のイオン濃度を従来よりも増加させることができる。一般に、部屋の端部は空気がよどみやすく、従来技術では空気浄化能力が低下してしまうが、上記の効果により部屋端部の空気浄化能力を大幅に強化できる。
【００６８】
尚、イオン発生装置３０によりプラスイオンよりもマイナスイオンを多く発生させて室内に放出すると、マイナスイオンによるリラクゼーション効果を得ることができる。この場合においても、上記と同様に均一なイオン濃度を得ることができる。
【００６９】
室内機１の吹出口５の第２開口部５ｂから前方上方に吹出される気流と、吹出口５の第１開口部５ａから前方下方に吹出される気流とを、交互に用いてイオンを部屋全体に拡散してもよい。このようにすると、部屋の端部のイオン濃度を高くできるとともに室内の略中央にもイオンを送出することができる。これにより、部屋全体のイオン濃度を高めるとともに、室内のイオン濃度をより均一にすることができる。
【００７０】
また、前述したように、リモートコントローラの操作によって、第１開口部５ａが開放された時に第２開口部５ｂを開放することができる。この時、図１１に示すように、例えば横ルーバ１１ａ、１１ｂの傾斜角度が水平方向に対して０゜の時に制御部６０の制御により導風板１４が＋３０゜に配される。これにより、調和空気が第１開口部５ａから略水平に送出されるとともに第２開口部５ｂから上方に送出される。
【００７１】
横ルーバ１１ａ、１１ｂの傾斜角度が水平方向に対して−３０゜の時には制御部６０の制御により導風板１４が０゜に配される。これにより、調和空気が第１開口部５ａから下方に送出されるとともに第２開口部５ｂから略水平に送出される。同様に、横ルーバ１１ａ、１１ｂの傾斜角度が水平方向に対して−１０゜、−２０゜の時にそれぞれ導風板１４が＋２０゜、＋１０゜に配される。
【００７２】
従って、第１開口部５ａから下方に調和空気が勢いよく送出される際にも第２開口部５ｂから略水平乃至上方に向けて調和空気が送出され、室内の隅々まで迅速に冷暖房することができる。
【００７３】
また、横ルーバ１１ａ、１１ｂの傾斜角度が水平に近づくと導風板１４の傾斜角度がより上方に傾斜して吹出口５から調和空気が前方上方に送出される。その後、吹出口５の上方に配される吸込口４ａ、４ｃの方向に戻って室内の上部で空気が循環する。これにより、室内の下部を流通する調和空気を減少させることができる。従って、横ルーバ１１ａ、１１ｂを所望の角度に設定することにより、室内の空気の流通状態を使用者の目的に応じて可変することができ、快適性を向上させることができる。
【００７４】
また、リモートコントローラにより所定の操作信号が受光部に送信されると、横ルーバ１１ａ、１１ｂの角度に拘わらず導風板１４が所望の向きに可変される。例えば使用者からの指示が「風向１」の場合には制御部６０の制御により導風板１４が＋３０゜に配される。使用者からの指示が「風向２」の場合には導風板１４が＋２０゜に配され、使用者からの指示が「風向３」の場合には導風板１４が０゜に配される。従って、使用者の好みに応じて風向を設定することができる。
【００７５】
また、使用者により選択された運転モードが「冷房・強風」または「暖房・弱風」の場合には制御部６０の制御により導風板１４が０゜に配される。使用者により選択された運転モードが「冷房・弱風」または「暖房・微風」、イオンによる「除菌」、後述する脱臭装置による「脱臭」、後述する臭いセンサやほこりセンサによる「空気清浄」等の場合には導風板１４が＋２０゜に配される。使用者により選択された運転モードが「冷房・微風」または「除湿」の場合には導風板１４が＋３０゜に配される。使用者により選択された運転モードが「暖房・強風」の場合には導風板１４が第２開口部５ｂを遮蔽する位置に配される。
【００７６】
従って、使用者の選択する運転モードにより最も好適な風向を設定することができ、吹出温度が高温または低温の調和空気の一部がより上方へ送出される。これにより、使用者に当たる高温または低温の空気を減少させて使用者の不快感をより低減することができる。
【００７７】
また、第２開口部５ｂから送出される空気の送風量を著しく弱くすると、導風部２０の先端２０ｂによってコアンダ効果を断ち切ることができなくなる。このため、例えば、送風量を「微風」よりも弱い「極微風」等に設定すると、図１２に示すように、導風部２０の上方には渦２５が発生するとともに、第２開口部５ｂから上方に送出される調和空気が矢印Ａ３に示すように吸込口４ａ、４ｃから吸引される。その結果、強制的にショートサーキットを発生させることができる。
【００７８】
これにより、プラスイオン及びマイナスイオンが室内機１内を循環し、室内機１内を殺菌して室内機１の清浄化を図ることができる。この時、調和空気の温度が低いと結露や結露水の凍結が生じ、結露水の飛散や成長した氷の押圧力による損傷が発生するため、冷房運転時よりも温度を高くするとより望ましい。
【００７９】
また、空気調和機によって除湿運転を行なう際も同様に、室内熱交換器９との熱交換により除湿された低温の空気を微風で上方に送出する際に上記と同様の効果を得ることができる。除湿運転は室内熱交換器内に蒸発部と凝縮部とを備えた再熱ドライ方式の除湿装置を用いてもよい。
【００８０】
即ち、蒸発部で熱交換により冷却除湿された空気が凝縮部で熱交換により昇温されて室内に送出されることにより、室温を低下させずに除湿を行うことができる。この時、凝縮部で昇温してもなお体温よりも低温の空気が常に使用者に当たることを防止することができるとともに、室内の温度分布を均一にすることができる。
【００８１】
また、室内機１の近傍かつ前方上方の天井に梁や障害物があると、第２開口部５ｂから上方に送出される空気が跳ね返って吸込口４ａ、４ｃから取込まれ、ショートサーキットが大きくなる場合がある。このため、リモートコントローラや室内機１に導風板１４の開成や、気流の前方上方への吹出しを禁止するスイッチ（禁止手段）を設けると、使用状況に応じた風向制御を行うことができるのでより望ましい。
【００８２】
導風部２０の上面及び前方のドレンパン１０の上面は室内熱交換器９を通過する前の空気と接触し、導風部２０の下面及び前方のドレンパン１０の下面は吹出口５から送出された調和空気と接触する。このため、導風部２０及び前方のドレンパン１０は両面の温度差によって結露が生じやすくなるが、発砲樹脂等から成る断熱材を導風部２０及び前方のドレンパン１０に固着すると、結露を防止できるのでより望ましい。導風部２０及び前方のドレンパン１０を中空に形成して空気層や真空層から成る断熱材を設けてもよい。
【００８３】
次に、図１３は第２実施形態の空気調和機の室内機を示す概略側面断面図である。前述の図１〜図１７に示す第１実施形態と同様の部分には同一の符号を付している。第１実施形態と異なる点は上壁面１３ａが吹出口５から突出せず、導風部２０（図１参照）に替えてフロントパネル３には室内機１の幅方向に延びる略矩形の溝部２８が設けられる。その他の部分は第１実施形態と同一である。
【００８４】
溝部２８の近傍の詳細を図１４に示すと、第１実施形態と同様に、分岐通路１３の上壁面１３ａは前方へ向かって上方に傾斜する傾斜面から成っている。溝部２８はフロントパネル３と上壁面１３ａとの間に設けられ、溝部２８の下面２８ａと分岐通路１３の上壁面１３ａとによって尖状の突起部２９が形成されている。
【００８５】
上記と同様に、空気調和機の運転を開始すると、室内の空気が吸込口４ａ、４ｃから室内機１内に吸い込まれる。室内機１に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００８６】
室温と設定温度との温度差が小さくなったことを温度センサ６１（図４参照）が検知すると、送風ファン７の調整により徐々に送風量が低下して例えば「微風」になる。そして、図１５に示すように、横ルーバ１１ａ、１１ｂが回動して第１開口部５ａが少しだけ開いた状態に設定され、導風板１４が回動して第２開口部５ｂが開放される。
【００８７】
これにより、送風経路６を流通する調和空気は分岐通路１３を流通して第２開口部５ｂ及び横ルーバ１１ａ、１１ｂの隙間から送出され、溝部２８により形成された突起部２９によってコアンダ効果が断ち切られて矢印Ａ２に示すようにフロントパネル３に沿うことなく噴流となって前方上方に吹出される。
【００８８】
また、リモートコントローラの操作によって、第１開口部５ａが開放された時に第２開口部５ｂを開放すると、図１６に示すように、例えば横ルーバ１１ａ、１１ｂの傾斜角度が水平方向に対して０゜の時に制御部６０の制御により導風板１４が＋３０゜に配される。これにより、調和空気が第１開口部５ａから略水平に送出されるとともに第２開口部５ｂから上方に送出される。
【００８９】
横ルーバ１１ａ、１１ｂの傾斜角度が水平方向に対して−３０゜の時には制御部６０の制御により導風板１４が０゜に配される。これにより、調和空気が第１開口部５ａから下方に送出されるとともに第２開口部５ｂから略水平に送出される。同様に、横ルーバ１１ａ、１１ｂの傾斜角度が水平方向に対して−１０゜、−２０゜の時にそれぞれ導風板１４が＋２０゜、＋１０゜に配される。
【００９０】
従って、第１実施形態と同様に、第１開口部５ａから下方に調和空気が勢いよく送出される際にも第２開口部５ｂから略水平乃至上方に向けて調和空気が送出され、室内の隅々まで迅速に冷暖房することができる。また、横ルーバ１１ａ、１１ｂの傾斜角度が水平に近づくと導風板１４の傾斜角度も水平に近づいて室内の下部を流通する調和空気を減少させることができる。従って、横ルーバ１１ａ、１１ｂを所望の角度に設定することにより、室内の空気の流通状態を使用者の目的に応じて可変することができ、快適性を向上させることができる。
【００９１】
また、第２開口部５ｂから送出される空気の送風量を著しく弱くすると、突起部２９によってコアンダ効果を断ち切ることができなくなる。このため、例えば、送風量を「微風」よりも弱い「極微風」等に設定すると、図１７に示すように、溝部２８内には渦２５が発生するとともに、第２開口部５ｂから上方に送出される調和空気が矢印Ａ３に示すように吸込口４ａ、４ｃから吸引される。その結果、強制的にショートサーキットを発生させることができる。これにより、プラスイオン及びマイナスイオンが室内機１内を循環し、室内機１内を殺菌して室内機１の清浄化を図ることができる。
【００９２】
次に、図１８、図１９はそれぞれ第３、第４実施形態の空気調和機の室内機を示す概略側面断面図である。これらの図において、前述の図１〜図１７に示す第１、第２実施形態と同様の部分には同一の符号を付している。第３、第４実施形態はそれぞれ第１、第２実施形態に加え、調和空気の吹出温度を検出する温度センサ８１を送風経路６内に設けている。
【００９３】
また、前述の図５において風向板角度検出部７６に替えて温度センサ８１の出力が制御部６０に入力され、温度センサ８１の検出結果に基づいて導風板駆動部７５が駆動されている。その他の部分は第１、第２実施形態と同様である。
【００９４】
上記と同様に、空気調和機の運転を開始すると、室内の空気が吸込口４ａ、４ｃから室内機１内に吸い込まれる。室内機１に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００９５】
室温と設定温度との温度差が小さくなったことを温度センサ６１（図４参照）が検知すると、送風ファン７の調整により徐々に送風量が低下して例えば「微風」になる。そして、前述の図７または図１５と同様に、横ルーバ１１ａ、１１ｂが回動して第１開口部５ａが少しだけ開いた状態に設定され、導風板１４が回動して第２開口部５ｂが開放される。
【００９６】
これにより、送風経路６を流通する調和空気は分岐通路１３を流通して第２開口部５ｂ及び横ルーバ１１ａ、１１ｂの隙間から送出され、導風部２０の先端２０ｂ或いは突起部２９によりコアンダ効果が断ち切られて矢印Ａ２（図７、図１５参照）に示すようにフロントパネル３に沿うことなく噴流となって前方上方に吹出される。従って、第１、第２実施形態と同様の効果が得られる。
【００９７】
また、リモートコントローラの操作によって第１開口部５ａの開放時に第２開口部５ｂが開放される。この時、例えば温度センサ８１により検出した吹出温度が１０℃以下の時に制御部６０の制御により導風板１４が＋３０゜に配される。吹出温度が１０℃〜１５℃の時には導風板１４が＋２０゜に配され、吹出温度が１５℃以上の時には導風板１４が０゜に配される。
【００９８】
低温の空気は高温の空気よりも比重が大きいので、吹出温度に応じて導風板１４の角度を可変することにより吹出温度の低い調和空気の一部がより上方へ送出される。これにより、使用者に当たる低温の空気を減少させて使用者の不快感をより低減することができる。
【００９９】
次に、図２０は第５実施形態の空気調和機の室内機を示す概略側面断面図である。前述の図１８に示す第３実施形態と同様の部分には同一の符号を付している。本実施形態は、第２実施形態に対して横ルーバ１１ａ、１１ｂ（図１８参照）が省かれており、導風板１４が吹出口５を閉塞する位置と、調和空気を略水平方向乃至下方向に吹出す位置と、調和空気を前方上方に吹出す位置と、強制的にショートサーキットを発生させることができる位置とを回動できる構成となっている。その他の部分は第３実施形態と同様である。
【０１００】
上記と同様に、空気調和機の運転を開始すると、室内の空気が吸込口４ａ、４ｃから室内機１内に吸い込まれる。室内機１に取り込まれた空気は室内熱交換器９と熱交換し、冷却または加熱される。そして、送風経路６を通って縦ルーバ１２及び導風板１４によって左右及び上下方向に向きを規制されて吹出口５から矢印Ａ１に示すように略水平方向乃至下方向に向けて室内に送出される。
【０１０１】
室温と設定温度との温度差が小さくなったことを温度センサ６１（図４参照）が検知すると、送風ファン７の調整により徐々に送風量が低下して例えば「微風」になる。そして、図２１に示す様に導風板１４が回動する。これにより、送風経路６を流通する調和空気は図のように吹出口５から送出され、導風部２０の先端２０ｂによりコアンダ効果が断ち切られて矢印Ａ２に示すようにフロントパネル３に沿うことなく噴流となって前方上方に吹出される。従って、第３実施形態と同様の効果が得られる。
【０１０２】
また、リモートコントローラの操作によって導風板１４の開閉角度が変更できるようになっている。この時、例えば温度センサ８１により検出した吹出温度が１０℃以下の時に制御部６０の制御により導風板１４が＋３０゜に配される。吹出温度が１０゜〜１５゜の時には導風板１４が＋２０゜に配され、吹出温度が２０゜以上の時には導風板１４が０゜に配される。これにより、第３実施形態と同様に、使用者に当たる低温の空気を減少させて使用者の不快感をより低減することができる。
【０１０３】
次に、図２２は第６実施形態の空気調和機の室内機を示す概略側面断面図である。前述の図１９に示す第４実施形態と同様の部分には同一の符号を付している。本実施形態は、第４実施形態に対して横ルーバ１１ａ、１１ｂ（図１９参照）が省かれており、導風板１４が吹出口５を閉塞する位置と、調和空気を略水平方向乃至下方向に吹出す位置と、調和空気を前方上方に吹出す位置と、強制的にショートサーキットを発生させることができる位置とを回動できる構成となっている。その他の部分は第４実施形態と同様である。
【０１０４】
上記と同様に、空気調和機の運転を開始すると、室内の空気が吸込口４ａ、４ｃから室内機１内に吸い込まれる。室内機１に取り込まれた空気は室内熱交換器９と熱交換し、冷却または加熱される。そして、送風経路６を通って縦ルーバ１２及び導風板１４によって左右及び上下方向に向きを規制されて吹出口５から矢印Ａ１に示すように略水平方向乃至下方向に向けて室内に送出される。
【０１０５】
室温と設定温度との温度差が小さくなったことを温度センサ６１（図４参照）が検知すると、送風ファン７の調整により徐々に送風量が低下して例えば「微風」になる。そして、図２３に示す様に導風板１４が回動する。これにより、送風経路６を流通する調和空気は図のように吹出口５から送出され、突起部２９によりコアンダ効果が断ち切られて矢印Ａ２に示すようにフロントパネル３に沿うことなく噴流となって前方上方に吹出される。従って、第４実施形態と同様の効果が得られる。
【０１０６】
また、リモートコントローラの操作によって導風板１４の開閉角度が変更できるようになっている。この時、例えば温度センサ８１により検出した吹出温度が１０℃以下の時に制御部６０の制御により導風板１４が＋３０゜に配される。吹出温度が１０゜〜１５゜の時には導風板１４が＋２０゜に配され、吹出温度が２０゜以上の時には導風板１４が０゜に配される。これにより、第４実施形態と同様に、使用者に当たる低温の空気を減少させて使用者の不快感をより低減することができる。
【０１０７】
次に図２４、図２５はそれぞれ第７、第８実施形態の空気調和機の室内機を示す概略側面断面図である。前述の図１〜図１７に示す第１、第２実施形態と同様の部分には同一の符号を付している。本実施形態は第１、第２実施形態に対して風向板角度検出部７６（図５参照）が省かれている。
【０１０８】
そして、温度センサ６１を室内熱交換器９とエアフィルタ８との間に設け、図５において温度センサ６１の出力を制御部６０に入力して温度センサ６１の検出結果に基づいて導風板駆動部７５が駆動されている。その他の部分は第１、第２実施形態と同様である。
【０１０９】
上記と同様に、空気調和機の運転を開始すると、室内の空気が吸込口４ａ、４ｃから室内機１内に吸い込まれる。室内機１に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【０１１０】
室温と設定温度との温度差が小さくなったことを温度センサ６１が検知すると、送風ファン７の調整により徐々に送風量が低下して例えば「微風」になる。そして、前述の図７または図１５と同様に、横ルーバ１１ａ、１１ｂが回動して第１開口部５ａが少しだけ開いた状態に設定され、導風板１４が回動して第２開口部５ｂが開放される。
【０１１１】
これにより、送風経路６を流通する調和空気は分岐通路１３を流通して第２開口部５ｂ及び横ルーバ１１ａ、１１ｂの隙間から送出され、導風部２０の先端２０ｂ或いは突起部２９によりコアンダ効果が断ち切られて矢印Ａ２（図７、図１５参照）に示すようにフロントパネル３に沿うことなく噴流となって前方上方に吹出される。従って、第１、第２実施形態と同様の効果が得られる。
【０１１２】
また、リモートコントローラの操作によって第１開口部５ａの開放時に第２開口部５ｂが開放される。この時、例えば冷房運転時に吸込空気の温度と設定温度の差が１℃以内であると制御部６０の制御により導風板１４が＋３０゜に配される。吸込空気の温度と設定温度の差が１℃〜５℃の時には導風板１４が＋２０゜に配され、吸込空気の温度と設定温度の差が５℃以上の時には導風板１４が０゜に配される。これにより、第１、第２実施形態と同様に、使用者に当たる低温の空気を減少させて使用者の不快感をより低減することができる。尚、第５、第６実施形態において同様に温度センサ６１の検出結果に基づいて導風板駆動部７５を駆動しても良い。
【０１１３】
次に、図２６、図２７はそれぞれ第９、第１０実施形態の空気調和機の室内機を示す概略側面断面図である。前述の図１〜図１７に示す第１、第２実施形態と同様の部分には同一の符号を付している。本実施形態は第１、第２実施形態と同様に構成され、風向板角度検出部７６（図５参照）に替えて室内熱交換器９の温度を検出する温度センサ８２が設けられている。
【０１１４】
図５において、温度センサ８２の出力は制御部６０に入力され、温度センサ８２の検出結果に基づいて導風板駆動部７５が駆動されている。その他の部分は第１実施形態と同様である。また、風向板角度検出部７６に替えて温度センサ８２の出力が制御部６０に入力され、温度センサ８２の検出結果に基づいて導風板駆動部７５が駆動されている。その他の部分は第１、第２実施形態と同様である。
【０１１５】
上記と同様に、空気調和機の運転を開始すると、室内の空気が吸込口４ａ、４ｃから室内機１内に吸い込まれる。室内機１に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【０１１６】
室温と設定温度との温度差が小さくなったことを温度センサ６１（図４参照）が検知すると、送風ファン７の調整により徐々に送風量が低下して例えば「微風」になる。そして、前述の図７または図１５と同様に、横ルーバ１１ａ、１１ｂが回動して第１開口部５ａが少しだけ開いた状態に設定され、導風板１４が回動して第２開口部５ｂが開放される。
【０１１７】
これにより、送風経路６を流通する調和空気は分岐通路１３を流通して第２開口部５ｂ及び横ルーバ１１ａ、１１ｂの隙間から送出され、導風部２０の先端２０ｂ或いは突起部２９によりコアンダ効果が断ち切られて矢印Ａ２（図７、図１５参照）に示すようにフロントパネル３に沿うことなく噴流となって前方上方に吹出される。従って、第１、第２実施形態と同様の効果が得られる。
【０１１８】
また、リモートコントローラの操作によって第１開口部５ａの開放時に第２開口部５ｂが開放される。この時、例えば室内熱交換器９の温度が１０℃以下の時に制御部６０の制御により導風板１４が＋３０゜に配される。室内熱交換器９の温度が１０℃〜１５℃の時には導風板１４が＋２０゜に配され、室内熱交換器９の温度が１５℃以上の時には導風板１４が０゜に配される。これにより、第１、第２実施形態と同様に、使用者に当たる低温の空気を減少させて使用者の不快感をより低減することができる。尚、第５、第６実施形態に同様の温度センサ８２を設けても良い。
【０１１９】
次に、第１１実施形態について説明する。本実施形態は前述の図１〜図１２に示す第１実施形態と同様に構成され、風向板角度検出部７６（図５参照）に替えて回転数検出部が設けられている。回転数検出部は送風ファン７の回転数を検出して、吹出口５から送出される調和空気の風量を検出することができる。図５において、回転数検出部の出力は制御部６０に入力され、回転数検出部の検出結果に基づいて導風板駆動部７５が駆動されている。その他の部分は第１実施形態と同様である。
【０１２０】
これにより、リモートコントローラの操作によって第１開口部５ａの開放時に第２開口部５ｂを開放する際に、風量に応じて導風板１４の角度を可変することができる。例えば設定風量が「強風」の時に制御部６０の制御により導風板１４が０゜に配される。設定風量が「弱風」の時には導風板１４が＋２０゜に配され、設定風量が「微風」の時には導風板１４が＋３０゜に配される。
【０１２１】
従って、風量が少ないときにはより上方に調和空気を送出して到達距離が短くなることを防止し、室内の隅々まで冷暖房することができる。一方風量が多いときには略水平方向に送出して不要な上方への送出を減少させて効率良く冷暖房することができる。尚、第２実施形態の風向板角度検出部７６に替えて回転数検出部を設けても良く、第５、第６実施形態の温度センサ６１に替えて回転数検出部を設けても良い。
【０１２２】
次に、第１２実施形態について説明する。本実施形態は前述の図１〜図１２に示す第１実施形態と同様に構成され、風向板角度検出部７６（図５参照）に替えて周波数検出部が設けられている。周波数検出部は、圧縮機６２（図３参照）の周波数を検出する。図５において、周波数検出部の出力は制御部６０に入力され、周波数検出部の検出結果に基づいて導風板駆動部７５が駆動されている。その他の部分は第１実施形態と同様である。
【０１２３】
これにより、リモートコントローラの操作によって第１開口部５ａの開放時に第２開口部５ｂを開放する際に、圧縮機６２の周波数に応じて導風板１４の角度を可変することができる。例えば周波数が７０Ｈｚ以上の時に制御部６０の制御により導風板１４が＋３０゜に配される。周波数が４０Ｈｚ〜７０Ｈｚの時には導風板１４が＋２０゜に配され、周波数が４０Ｈｚ以下の時には導風板１４が０゜に配される。
【０１２４】
冷房時には圧縮機６２の周波数が高いときは冷却能力が向上して室内熱交換器９の温度が低くなる。圧縮機６２の周波数が低いと冷却能力は低下して室内熱交換器９の温度が高くなる。従って、上記と同様に、吹出温度の低い調和空気の一部がより上方へ送出される。これにより、使用者に当たる低温の空気を減少させて使用者の不快感をより低減することができる。尚、第２実施形態の風向板角度検出部７６に替えて周波数検出部を設けても良く、第５、第６実施形態の温度センサ６１に替えて周波数検出部を設けても良い。
【０１２５】
次に、第１３実施形態について説明する。本実施形態は前述の図１〜図１２に示す第１実施形態と同様に構成され、風向板角度検出部７６（図５参照）に替えて消費電流検出部が設けられている。消費電流検出部は電流値に比例した二次電圧を発生させるカレントトランス等により構成され、空気調和機の運転時の電流を検出する。図５において、消費電流検出部の出力は制御部６０に入力され、消費電流検出部の検出結果に基づいて導風板駆動部７５が駆動されている。その他の部分は第１実施形態と同様である。
【０１２６】
これにより、リモートコントローラの操作によって第１開口部５ａの開放時に第２開口部５ｂを開放する際に、空気調和機の運転時の電流に応じて導風板１４の角度を可変することができる。例えば運転時の電流が１２Ａ以上の時に制御部６０の制御により導風板１４が＋３０゜に配される。運転時の電流が７Ａ〜１２Ａの時には導風板１４が＋２０゜に配され、運転時の電流が７Ａ以下の時には導風板１４が０゜に配される。
【０１２７】
空気調和機の運転時の電流が大きいときは圧縮機６２（図３参照）の周波数が高いと考えられ、冷房時には室内熱交換器９の温度が低くなる。空気調和機の運転時の電流が小さいときは圧縮機６２の周波数が低いと考えられ、冷房時には室内熱交換器９の温度が高くなる。従って、上記と同様に、吹出温度の低い調和空気の一部がより上方へ送出される。これにより、使用者に当たる低温の空気を減少させて使用者の不快感をより低減することができる。
【０１２８】
尚、空気調和機の運転時の電流は圧縮機６２の周波数の増加だけでなく、室外側の負荷の増大等によっても上昇する場合がある。圧縮機６２の周波数が増加した場合は電流が急激に増加するため、電流の時間変化を考慮して導風板１４を駆動してもよい。例えば、６０秒間に１Ａ以下の電流の変化では上記制御を行わず、６０秒間に１Ａを超える電流の変化が生じた場合に上記の制御を行うようにすることができる。また、第２実施形態の風向板角度検出部７６に替えて消費電流検出部を設けても良く、第５、第６実施形態の温度センサ６１に替えて消費電流検出部を設けても良い。
【０１２９】
次に、第１４実施形態について説明する。本実施形態は前述の図１〜図１２に示す第１実施形態と同様に構成され、風向板角度検出部７６（図５参照）に替えて室外回転数検出部が設けられている。室外回転数検出部は、室外機に備えられる送風ファン６５（図３参照）の回転数を検出して室外機の吸込口（不図示）から吸引される空気の風量を検出する。図５において、室外回転数検出部の出力は制御部６０に入力され、室外回転数検出部の検出結果に基づいて導風板駆動部７５が駆動されている。その他の部分は第１実施形態と同様である。
【０１３０】
これにより、リモートコントローラの操作によって第１開口部５ａの開放時に第２開口部５ｂを開放する際に、室外機の吸込風量に応じて導風板１４の角度を可変することができる。例えば室外機の吸込風量が「強風」の時に制御部６０の制御により導風板１４が＋３０゜に配される。室外機の吸込風量が「弱風」の時には導風板１４が＋２０゜に配される。室外機の吸込風量が「微風」の時には導風板１４が０゜に配される。
【０１３１】
冷房時には圧縮機６２（図３参照）の周波数が高いときは室外機の送風ファン６５の風量も大きく設定され、冷却能力が向上して室内熱交換器９の温度が低くなる。圧縮機６２の周波数が低いときは室外機の送風ファン６５の風量も小さく設定され、冷却能力が低下して室内熱交換器９の温度が高くなる。従って、上記と同様に、吹出温度の低い調和空気の一部がより上方へ送出される。これにより、使用者に当たる低温の空気を減少させて使用者の不快感をより低減することができる。尚、第２実施形態の風向板角度検出部７６に替えて室外回転数検出部を設けても良く、第５、第６実施形態の温度センサ６１に替えて室外回転数検出部を設けても良い。
【０１３２】
次に、第１５実施形態について説明する。本実施形態は前述の図１〜図１２に示す第１実施形態と同様に構成され、風向板角度検出部７６（図５参照）に替えて湿度センサが設けられている。湿度センサは、室内熱交換器９とエアフィルタ８との間に設けられ、吸込空気の湿度を検知する。図５において、湿度センサの出力は制御部６０に入力され、湿度センサの検出結果に基づいて導風板駆動部７５が駆動されている。その他の部分は第１実施形態と同様である。
【０１３３】
これにより、リモートコントローラの操作によって第１開口部５ａの開放時に第２開口部５ｂを開放する際に、吸込空気の湿度に応じて導風板１４の角度を可変することができる。例えば吸込空気の相対湿度と設定湿度の差が２０％以上の時に制御部６０の制御により導風板１４が＋３０゜に配される。吸込空気の相対湿度と設定湿度の差が５％〜２０％の時には導風板１４が＋２０゜に配され、吸込空気の相対湿度と設定湿度の差が５％以内の時には導風板１４が０゜に配される。
【０１３４】
従って、吸込空気の相対湿度と設定湿度の差が大きいときにはより上方に調和空気を送出して部屋全体の空気を大きく攪拌し、室内の隅々まで速やかに湿度のバランスを整えることができる。一方吸込空気の相対湿度と設定湿度の差が小さいときには略水平方向に送出して不要な上方への送出を減少させて効率良く空気調和を行うことができる。尚、第２実施形態の風向板角度検出部７６に替えて湿度センサを設けても良く、第５、第６実施形態の温度センサ６１に替えて湿度センサを設けても良い。
【０１３５】
次に、第１６実施形態について説明する。本実施形態は前述の図１〜図１２に示す第１実施形態と同様に構成され、風向板角度検出部７６（図５参照）に替えてほこりセンサ（浄化度検知手段）が設けられている。ほこりセンサは、室内熱交換器９とエアフィルタ８との間に設けられ、吸込空気の塵埃量を検知して室内の空気の浄化度を検知する。図５において、ほこりセンサの出力が制御部６０に入力され、ほこりセンサの検出結果に基づいて導風板駆動部７５が駆動されている。その他の部分は第１実施形態と同様である。
【０１３６】
これにより、リモートコントローラの操作によって第１開口部５ａの開放時に第２開口部５ｂを開放する際に、吸込空気の塵埃量に応じて導風板１４の角度を可変することができる。例えば吸込空気の塵埃量が多い場合には制御部６０の制御により導風板１４が＋３０゜に配される。吸込空気の塵埃量が中程度の場合には導風板１４が＋２０゜に配され、吸込空気の塵埃量が微量の場合には導風板１４が０゜に配される。
【０１３７】
従って、吸込空気中に含まれる塵埃量が多い場合にはより上方に調和空気を送出して部屋全体の空気を大きく攪拌し、室内の塵埃を室内機中に取り込み、エアフィルタ８により速やかに空気清浄を行うことができるため、部屋全体の空気を短時間で清浄することができる。一方吸込空気中に含まれる塵埃量が少ない場合には略水平方向に送出して不要な上方への送出を減少させて効率良く空気調和を行うことができる。尚、エアフィルタ８（図１参照）に替えてＨＥＰＡフィルタや電気集塵機を用いれば、さらなる空気清浄効果が期待できる。尚、第２実施形態の風向板角度検出部７６に替えてほこりセンサを設けても良く、第５、第６実施形態の温度センサ６１に替えてほこりセンサを設けても良い。
【０１３８】
次に、第１７実施形態について説明する。本実施形態は前述の図１〜図１２に示す第１実施形態に加えて脱臭装置が設けられるとともに、風向板角度検出部７６（図５参照）に替えて、においセンサ（浄化度検知手段）が設けられている。においセンサは、室内熱交換器９とエアフィルタ８との間に設けられ、吸込空気の臭気成分の含有量を検知して室内の空気の浄化度を検知する。図５において、においセンサの出力が制御部６０に入力され、においセンサの検出結果に基づいて導風板駆動部７５が駆動されている。その他の部分は第１実施形態と同様である。
【０１３９】
これにより、リモートコントローラの操作によって第１開口部５ａの開放時に第２開口部５ｂをも開放する際に、吸込空気の臭気成分の含有量に応じて導風板１４の角度を可変することができる。例えば吸込空気中の臭気成分の含有量が多い場合には制御部６０の制御により導風板１４が＋３０゜に配される。吸込空気中の臭気成分の含有量が中程度の場合には導風板１４が＋２０゜に配され、吸込空気中の臭気成分の含有量が微量の場合には導風板１４が０゜に配される。
【０１４０】
従って、吸込空気中の臭気成分の含有量が多い場合にはより上方に調和空気を送出して部屋全体の空気を大きく攪拌し、室内空気を室内機中に取り込み、脱臭装置により速やかに空気清浄を行うことができる。これにより、部屋全体の空気を短時間で清浄することができる。一方吸込空気中の臭気成分の含有量が少ない場合には略水平方向に送出して不要な上方への送出を減少させて効率良く空気調和を行うことができる。尚、第２実施形態の風向板角度検出部７６に替えてにおいセンサを設けても良く、第５、第６実施形態の温度センサ６１に替えてにおいセンサを設けても良い。
【０１４１】
次に、第１８実施形態について説明する。本実施形態は前述の図１〜図１２に示す第１実施形態と同様に構成され、風向板角度検出部７６（図５参照）に替えてイオンセンサが設けられている。イオンセンサは、室内熱交換器９とエアフィルタ８との間に設けられ、吸込空気のイオン濃度を検知する。図５において、イオンセンサの出力が制御部６０に入力され、イオンセンサの検出結果に基づいて導風板駆動部７５が駆動されている。その他の部分は第１実施形態と同様である。
【０１４２】
これにより、リモートコントローラの操作によって第１開口部５ａの開放時に第２開口部５ｂをも開放する際に、吸込空気のイオン濃度に応じて導風板１４の角度を可変することができる。例えば吸込空気中のイオン濃度が小さい場合には制御部６０の制御により導風板１４が＋３０゜に配される。吸込空気中のイオン濃度が中程度の場合には導風板１４が＋２０゜に配され、吸込空気中のイオン濃度が大きい場合には導風板１４が０゜に配される。
【０１４３】
従って、吸込空気中のイオン濃度が小さい場合には、イオンを大量に含んだ調和空気をより上方に送出して部屋全体の空気を大きく攪拌し、部屋全体に速やかにイオンを拡散することができる。一方吸込空気中のイオン濃度が高い場合には略水平方向に送出して不要な上方への送出を減少させて効率良く空気調和を行うことができる。尚、第２実施形態の風向板角度検出部７６に替えてイオンセンサを設けても良く、第５、第６実施形態の温度センサ６１に替えてイオンセンサを設けても良い。
【０１４４】
第１〜第１８実施形態において、分岐通路１３の上壁面１３ａは平面でなくても、前方へ行くほど上方になるように形成されていればよい。例えば、複数の平面から成ってもよく、曲面であってもよい。また、導風部２０（図１参照）の上面や溝部２８（図１３参照）の下面は分岐通路１３の上壁１３ａの前端から斜め上方や斜め下方に延びた面により形成してもよい。即ち、導風部２０や突起部２９の形状はコアンダ効果によりフロントパネル３の前面に沿って流れようとする力を断ち切るように形成すれば第１〜第１８実施形態の形状に限られない。
【０１４５】
【発明の効果】
本発明によると、吹出口から下方及び上方に調和空気を送出するので、使用者に常に冷たい風や暖かい風が当たることがなく、使用者の不快感防止による快適性の向上を図ることができる。また、空気の吹出し方向を空気調和機の運転状況または室内の空気調和状況に基づいて可変するので、例えば、運転開始直後に吹出口から下方に向けて調和空気を送出して迅速に空気調和を行うとともに、室内が空気調和されると上方に送出して容易に快適性を向上することができる。また、運転開始直後の吹出口から下方に向けて調和空気が勢いよく送出される際にも風向板の向き等の運転状況に基づいて吹出口から略水平乃至上方に向けて調和空気を送出させることもでき、室内の隅々までより迅速に冷暖房することができる。
【０１４６】
更に、吹出口に臨む空気流通経路の上壁を成して前方へ行くほど上方になるように傾斜した案内面と、案内面の前端から後方に延びた平面または曲面とを溝部或いは導風部により形成しているので、空気調和機の美観を損ねることなく吹出口から上方に送出される空気がコアンダ効果により空気調和機の前面に沿って流れようとする力を断ち切ることができる。
【０１４７】
従って、ショートサーキットを防止して冷却効率或いは暖房効率を向上させることができるとともに、冷房運転時や除湿運転時に結露の増加や結露水の凍結及び成長を防止できる。このため、結露水や凍結した氷が解けた水による室内への水の放出を防止することができるとともに、成長した氷の押圧力による空気調和機の変形や破損を防止することができる。
【０１４８】
また、上方に送出された調和空気は空気調和機の前面側に沿って流れないため、粘性による風速の低下を防止することができる。これにより、調和空気は高速の噴流となって部屋の天井に到達し、空気調和機に対向する壁面、床面、空気調和機側の壁面を順次伝う。従って、部屋の隅々にまで気流が行き届いて気流が部屋全体を大きく攪拌し、部屋の上方の一部を除く居住領域全体の温度分布を均一化して直接風もほとんどない快適空間を得ることができる。
【０１４９】
また本発明によると、風向板の向きに基づいて導風板の向きを可変するので、例えば室内の下方を流通する調和空気を減少させる等の室内の空気の流通状態を使用者の目的に応じて可変することができ、快適性をより向上させることができる。
【０１５０】
また本発明によると、吹出口から送出される空気の温度、室内熱交換器の温度、圧縮機の運転周波数、空気調和機の消費電流、或いは室外機吸込口から吸引される空気の風量等の空気調和機の運転状況に基づいて導風板の向きを可変するので、例えば、吹出温度の低い調和空気の一部をより上方へ送出して使用者に当たる低温の空気を減少させることができる。従って、使用者の不快感をより低減することができる。
【０１５１】
また本発明によると、吹出口から送出される風量に基づいて導風板の向きを可変するので、例えば、風量が少ないときにはより上方に調和空気を送出して到達距離が短くなることを防止し、室内の隅々まで冷暖房することができるとともに、風量が多いときには略水平方向に送出して不要な上方への送出を減少させて効率良く冷暖房することができる。
【０１５２】
また本発明によると、吸込口から吸引される空気の温度、吸込口から吸引される空気の湿度、イオン濃度等の室内の空気調和状況に基づいて導風板の向きを可変するので、例えば、吸込空気の調和度と使用者により設定された調和度との間の差が大きいときにはより上方に調和空気を送出して部屋全体の空気を大きく攪拌し、室内の隅々まで速やかに空気の調和度を高めることができるため、部屋全体の空気を短時間で調和することができる。一方吸込空気の調和度と使用者により設定された調和度との間の差が小さいときには略水平方向に送出して不要な上方への送出を減少させて効率良く空気調和を行うことができる。
【０１５３】
また本発明によると、吸込口から吸引される空気の塵埃の量、臭気成分の含有量に基づいて導風板の向きを可変するので、例えば、吸込空気中に含まれる不純物が多いときにはより上方に調和空気を送出して部屋全体の空気を大きく攪拌し、室内の不純物を室内機中に取り込み、速やかに空気清浄を行うことができるため、部屋全体の空気を短時間で調和することができる。一方吸込空気中に含まれる不純物が少ないときには略水平方向に送出して不要な上方への送出を減少させて効率良く空気調和を行うことができる。
【０１５４】
また本発明によると、第２開口部からの空気の送出を禁止する禁止手段を設けているので、室内機の近傍に壁や障害物があった場合に上方に送出される空気が跳ね返って吸込口から取込まれることによるショートサーキットの増加を防止することができ、使用状況に応じた風向制御を行うことができる。
【図面の簡単な説明】
【図１】は、本発明の第１実施形態の空気調和機の室内機を示す概略側面断面図である。
【図２】は、本発明の第１実施形態の空気調和機の室内機の吹出口近傍を示す概略側面断面図である。
【図３】は、本発明の第１実施形態の空気調和機の冷凍サイクルを示す回路図である。
【図４】は、本発明の第１実施形態の空気調和機の構成を示すブロック図である。
【図５】は、本発明の第１実施形態の空気調和機の制御部の構成を示すブロック図である。
【図６】は、本発明の第１実施形態の空気調和機の室内機から送出される気流の挙動を示す斜視図である。
【図７】は、本発明の第１実施形態の空気調和機の室内機の動作を示す概略側面断面図である。
【図８】は、本発明の第１実施形態の空気調和機の室内機から送出される気流の挙動を示す斜視図である。
【図９】は、本発明の第１実施形態の空気調和機の動作時における部屋中央部断面の温度分布を示す図である。
【図１０】は、本発明の第１実施形態の空気調和機の動作時における部屋中央部断面のイオン濃度分布を示す図である。
【図１１】は、本発明の第１実施形態の空気調和機の室内機の導風板の向きを可変する動作を示す概略側面断面図である。
【図１２】は、本発明の第１実施形態の空気調和機の室内機の動作を示す概略側面断面図である。
【図１３】は、本発明の第２実施形態の空気調和機の室内機を示す概略側面断面図である。
【図１４】は、本発明の第２実施形態の空気調和機の室内機の吹出口近傍を示す概略側面断面図である。
【図１５】は、本発明の第２実施形態の空気調和機の室内機の動作を示す概略側面断面図である。
【図１６】は、本発明の第２実施形態の空気調和機の室内機の導風板の向きを可変する動作を示す概略側面断面図である。
【図１７】は、本発明の第２実施形態の空気調和機の室内機の動作を示す概略側面断面図である。
【図１８】は、本発明の第３実施形態の空気調和機の室内機を示す概略側面断面図である。
【図１９】は、本発明の第４実施形態の空気調和機の室内機を示す概略側面断面図である。
【図２０】は、本発明の第５実施形態の空気調和機の室内機を示す概略側面断面図である。
【図２１】は、本発明の第５実施形態の空気調和機の室内機の動作を示す概略側面断面図である。
【図２２】は、本発明の第６実施形態の空気調和機の室内機を示す概略側面断面図である。
【図２３】は、本発明の第６実施形態の空気調和機の室内機の動作を示す概略側面断面図である。
【図２４】は、本発明の第７実施形態の空気調和機の室内機を示す概略側面断面図である。
【図２５】は、本発明の第８実施形態の空気調和機の室内機を示す概略側面断面図である。
【図２６】は、本発明の第９実施形態の空気調和機の室内機を示す概略側面断面図である。
【図２７】は、本発明の第１０実施形態の空気調和機の室内機を示す概略側面断面図である。
【図２８】は、従来の空気調和機の室内機の概略側面断面図である。
【図２９】は、従来の空気調和機の室内機から送出される気流の挙動を示す斜視図である。
【図３０】は、従来の空気調和機の室内機から送出される気流の挙動を示す斜視図である。
【図３１】は、従来の空気調和機の動作時における部屋中央部断面の温度分布を示す図である。
【図３２】は、従来の空気調和機の動作時における部屋中央部断面のイオン濃度分布を示す図である。
【符号の説明】
１　室内機
２　キャビネット
３　フロントパネル
４ａ、４ｃ　吸込口
５　吹出口
５ａ　第１開口部
５ｂ　第２開口部
６　　送風経路
７　　送風ファン
８　　エアフィルタ
９　　室内熱交換器
１０　　ドレンパン
１１ａ、１１ｂ　横ルーバ
１２　　縦ルーバ
１３　　分岐通路
１３ａ　上壁面
１４　　導風板
２０　　導風部
２５　　渦
２８　　溝部
２９　　突起部
３０　　イオン発生装置
３０ａ　放電面
６０　　制御部
６２　　圧縮機
６５　　送風機
６１、８１、８２　温度センサ
【図１】
2004069127.tif 000003
【図２】
2004069127.tif 000004
【図３】
2004069127.tif 000005
【図４】
2004069127.tif 000006
【図５】
2004069127.tif 000007
【図６】
2004069127.tif 000008
【図７】
2004069127.tif 000009
【図８】
2004069127.tif 000010
【図９】
2004069127.tif 000011
【図１０】
2004069127.tif 000012
【図１１】
2004069127.tif 000013
【図１２】
2004069127.tif 000014
【図１３】
2004069127.tif 000015
【図１４】
2004069127.tif 000016
【図１５】
2004069127.tif 000017
【図１６】
2004069127.tif 000018
【図１７】
2004069127.tif 000019
【図１８】
2004069127.tif 000020
【図１９】
2004069127.tif 000021
【図２０】
2004069127.tif 000022
【図２１】
2004069127.tif 000023
【図２２】
2004069127.tif 000024
【図２３】
2004069127.tif 000025
【図２４】
2004069127.tif 000026
【図２５】
2004069127.tif 000027
【図２６】
2004069127.tif 000028
【図２７】
2004069127.tif 000029
【図２８】
2004069127.tif 000030
【図２９】
2004069127.tif 000031
【図３０】
2004069127.tif 000032
【図３１】
2004069127.tif 000033
【図３２】
2004069127.tif 000034